(57)【要約】電池の節電を可能にするための方法および装置について開示する。電池の節約は、無線信号により伝送される電磁エネルギーを受信することと、受信した電磁エネルギーから動作電力を得ることと、無線リンク上でデータユニットを受信することと、データユニットをメモリに格納することと、入力／出力コントローラを介して受信したメモリ読み出し要求に応答して、データユニットをメモリから提供することとによって可能になる。【選択図】図1
2011521580.tif 000002
【特許請求の範囲】
【請求項１】
第１の無線リンクを介して、無線信号により伝送される電磁エネルギーを受信することと、
前記受信した電磁エネルギーから動作電力を得ることと、
前記第１の無線リンクとは異なる第２の無線リンク上でデータユニットを受信することと、
前記データユニットをメモリに格納することと、
入力／出力コントローラを介して受信したメモリ読み出し要求に応答して、前記データユニットを前記メモリから提供することと、
を含む、方法。
【請求項２】
第２の前記入力／出力コントローラを介してデータユニットを受信することと、
前記第２のデータユニットを前記メモリに格納することと、
前記第２の無線リンクを介して受信した第２のメモリ読み出し要求に応答して、前記第２のデータユニットを前記メモリから提供することと、
をさらに含む、請求項１に記載の方法。
【請求項３】
プログラムコマンドを前記第２の無線リンクを介して受信することと、
前記プログラムコマンドを前記入力／出力コントローラを介して提供することと、
をさらに含む、請求項１または２に記載の方法。
【請求項４】
前記第２の無線リンクはインパルス無線リンクである、請求項１から３のいずれかに記載の方法。
【請求項５】
前記無線信号により伝送される前記電磁エネルギーを、外部無線回路から受信すること、
をさらに含む、請求項１から３のいずれかに記載の方法。
【請求項６】
前記プログラムコマンドに関連付けられるパラメータを、前記第２の無線リンクを介して受信することと、
前記パラメータを前記入力／出力コントローラを介して提供することと、
をさらに含む、請求項３に記載の方法。
【請求項７】
前記プログラムコマンドは、アプリケーションを開始するために提供され、前記方法は、
前記アプリケーションにより処理されるアプリケーションデータを、前記第２の無線リンクを介して受信することと、
前記アプリケーションデータを前記入力／出力コントローラを介して提供することと、
をさらに含む、請求項３または６に記載の方法。
【請求項８】
装置であって、
第１の無線リンクを介して、無線信号により伝送される電磁エネルギーを受信し、かつ前記受信した電磁エネルギーから前記装置の動作電力を得るように構成される電力ユニットと、
前記第１の無線リンクとは異なる第２の無線リンク上で通信接続を制御するように構成される通信ユニットと、
入力／出力コントローラと、
メモリと、
前記第２の無線リンクを介してピア装置からデータユニットを受信し、前記データユニットを前記メモリに格納し、前記入力／出力コントローラを介して受信したメモリ読み出し要求に応答して、前記入力／出力コントローラを介して前記データユニットをメモリから提供するように構成されるプロセッサと、
を備える、装置。
【請求項９】
前記プロセッサは、
第２の前記入力／出力コントローラを介してデータユニットを受信し、
前記第２のデータユニットを前記メモリに格納し、
前記入力／出力コントローラを介して受信した第２のメモリ読み出し要求に応答して、前記入力／出力コントローラを介して前記第２のデータユニットを前記メモリから提供する、
ようにさらに構成される、請求項８に記載の装置。
【請求項１０】
前記データユニットはアプリケーションデータを伝送する、請求項８または９に記載の装置。
【請求項１１】
前記データユニットは音声データを伝送する、請求項８または９に記載の装置。
【請求項１２】
前記第２の無線リンクはインパルス無線リンクである、請求項８から１１のいずれかに記載の装置。
【請求項１３】
前記電力ユニットは、前記無線信号により伝送される前記電磁エネルギーを、外部無線回路から受信するように構成される、請求項８から１２のいずれかに記載の装置。
【請求項１４】
前記第１の無線リンクは極超短波またはNFC通信リンクであり、前記第２の無線リンクは超広帯域リンクである、請求項８から１３のいずれかに記載の装置。
【請求項１５】
前記プロセッサは、
プログラムコマンドを前記通信ユニットを介して受信し、
前記プログラムコマンドを前記入力／出力コントローラを介して提供する、
ようにさらに構成される、請求項８から１４のいずれかに記載の装置。
【請求項１６】
前記プロセッサは、
前記プログラムコマンドに関連付けられるパラメータを、前記通信ユニットを介して受信し、
前記パラメータを前記入力／出力コントローラを介して提供する、
ようにさらに構成される、請求項１５に記載の装置。
【請求項１７】
前記プロセッサは、
前記受信したプログラムコマンドに応答してアプリケーションを開始し、
前記アプリケーションにより処理されるアプリケーションデータを、前記通信ユニットを介して受信し、
前記アプリケーションデータを前記入力／出力コントローラを介して提供する、
ようにさらに構成される、請求項１５または１６に記載の装置。
【請求項１８】
前記装置は、前記第２の無線リンクを介して受信されるコンテンツの１つ以上のコンテンツ選択基準を、前記ピア装置に標示するようにさらに構成される、請求項８から１７のいずれかに記載の装置。
【請求項１９】
電磁エネルギーを第１の無線リンク上で送信することと、
データユニットを入力／出力コントローラを介して受信することと、
前記データユニットをメモリに格納することと、
前記データユニットを第２の無線リンクを介して提供することと、
を含む、方法。
【請求項２０】
第２のデータユニットを前記第２の無線リンクを介して受信することと、
前記第２のデータユニットを前記メモリに格納することと、
前記第２のデータユニットを前記入力／出力ユニットを介して提供することと、
をさらに含む、請求項１９に記載の方法。
【請求項２１】
プログラムコマンドを前記第２の無線リンクを介して送信すること、
をさらに含む、請求項１９または２０に記載の方法。
【請求項２２】
第１の無線リンクで電磁エネルギーをピア装置に送信するように構成される送信機と、
第２の無線リンク上で通信接続を制御するように構成される通信ユニットと、
入力／出力コントローラと、
メモリと、
前記入力／出力コントローラを介してデータユニットを受信し、前記データユニットを前記メモリに格納し、前記第２の無線リンクを介して前記メモリから前記ピア装置に前記データユニットを提供するように構成されるプロセッサと、
を備える、装置。
【請求項２３】
前記プロセッサは、
前記第２の無線リンクを介してピア装置から第２のデータユニットを受信し、
前記第２のデータユニットを前記メモリに格納し、
前記第２のデータユニットを前記入力／出力コントローラを介して提供する、
ようにさらに構成される、請求項２２に記載の装置。
【請求項２４】
前記プロセッサは、前記第２の無線リンクを介してプログラムコマンドを前記ピア装置に送信するようにさらに構成される、請求項２２または２３に記載の装置。
【請求項２５】
前記第２の無線リンクはインパルス無線リンクである、請求項２２から２４のいずれかに記載の装置。
【請求項２６】
コンピュータ可読メモリ媒体に統合されるコンピュータプログラムであって、前記プログラムを実行する際に、請求項１から７または１９から２１のうちのいずれかに記載の方法を装置に実行させるように構成されるコンピュータプログラム。
【請求項２７】
第１の無線リンクを介して、無線信号により伝送される電磁エネルギーを受信し、かつ前記受信した電磁エネルギーから装置の動作電力を得る手段と、
前記第１の無線リンクとは異なる第２の無線リンク上で通信接続を制御する手段と、
入力／出力制御手段と、
データ格納手段と、
前記第２の無線リンクを介してピア装置からデータユニットを受信し、前記データユニットを前記データ格納手段に格納し、前記入力／出力制御手段を介して受信したメモリ読み出し要求に応答して、前記入力／出力制御手段を介して、前記データユニットをメモリから提供するように構成されるデータ処理手段と、
を備える、装置。
【請求項２８】
第１の無線リンクで電磁エネルギーをピア装置に送信する手段と、
第２の無線リンク上で通信接続を制御する手段と、
入力／出力制御手段と、
データ格納手段と、
前記入力／出力制御手段を介してデータユニットを受信し、前記データユニットを前記データ格納手段に格納し、前記第２の無線リンクを介して、前記データ格納手段から前記ピア装置に前記データユニットを提供するように構成されるデータ処理手段と、
を備える、装置。
【発明の詳細な説明】
【技術分野】
【０００１】
本発明は主に電力の節約に関し、具体的には、関連する機器の電池電力を節約することに関するが、これだけに限定されない。
【発明の背景】
【０００２】
携帯電話機など電池で動作する電子機器は、インターネットおよび会社のイントラネット等の他のデータ通信ネットワークへのアクセスにおいて一般的になっている。新しくかつ有用なアプリケーションがモバイル機器へ実装され、ユニバーサル移動通信システム（Universal Mobile Telecommunications System; UMTS）や無線ローカルエリアネットワーク（Wireless Local Area Network; WLAN）等の新しい通信技術の実装による通信速度の向上などによって、モバイル機器は、インターネットアクセスのためにますます利用されるようになっている。
【０００３】
データ通信手段、つまり、モバイル機器からモバイル通信ネットワークまたはWLAN基地局への無線接続のためのモバイル機器の広範な利用は、モバイル機器が長時間アクティブであることを意味し、それによって、モバイル機器の電力源、典型的には電池は、その大部分が消費されうる。したがって、ユーザは、不便にも、モバイル機器の電池をたびたび再充電しなければならない場合がある。しかし、充電器は必要時に常に利用可能であるとは限らない。
【０００４】
ユーザは、例えば、インターネットアクセスのためにモバイル機器をあまり利用しないようにすることもできるだろうが、ユーザが自由に選択できるのであれば、多くのユーザはそのようなことをしないであろう。バスターミナルや空港での待ち時間などにおいて、多くのユーザは、電子メールをチェックしたり、インターネットのニュースサービスのニュースを読んだりすることが便利であると考えるだろう。しかし、待ち時間中に無線ネットワーク接続がアクティブであることによって、電子機器の電池が消耗するだろう。
【発明の概要】
【０００５】
本発明は、先行技術に関連する問題を回避または緩和すること、または少なくとも新しい代替を提供することを目的とする。
【０００６】
本発明の第１の側面によると、第１の無線リンクを介して、無線信号により伝送される電磁エネルギーを受信することと、前記受信した電磁エネルギーから動作電力を得ることと、前記第１の無線リンクとは異なる第２の無線リンク上でデータユニットを受信することと、前記データユニットをメモリに格納することと、入力／出力コントローラを介して受信したメモリ読み出し要求に応答して、前記データユニットを前記メモリから提供することと、を含む方法が提供される。
【０００７】
本発明の第２の側面によると、第１の無線リンクを介して、無線信号により伝送される電磁エネルギーを受信し、かつ前記受信した電磁エネルギーから装置の動作電力を得るように構成される電力ユニットと、
前記第１の無線リンクとは異なる第２の無線リンク上で通信接続を制御するように構成される通信ユニットと、
入力／出力コントローラと、
メモリと、
前記第２の無線リンクを介してピア装置からデータユニットを受信し、前記データユニットを前記メモリに格納し、前記入力／出力コントローラを介して受信したメモリ読み出し要求に応答して、前記入力／出力コントローラを介して前記データユニットをメモリから提供するように構成されるプロセッサと、
を備える装置が提供される。
【０００８】
本発明の第３の側面によると、電磁エネルギーを第１の無線リンク上で送信することと、データユニットを入力／出力コントローラを介して受信することと、前記データユニットをメモリに格納することと、前記第１の無線リンクとは異なる第２の無線リンクを介して、前記データユニットを提供することと、を含む方法が提供される。
【０００９】
本発明の第４の側面によると、第１の無線リンクで電磁エネルギーをピア装置に送信するように構成される送信機と、
第２の無線リンク上で通信接続を制御するように構成される通信ユニットと、
入力／出力コントローラと、
メモリと、
前記入力／出力コントローラを介してデータユニットを受信し、前記データユニットを前記メモリに格納し、前記第２の無線リンクを介して前記メモリから前記ピア装置に前記データユニットを提供するように構成されるプロセッサと、を備える装置が提供される。
【００１０】
本発明の第５の側面によると、コンピュータ可読メモリ媒体に統合されるコンピュータプログラムであって、前記プログラムを実行する際に、第１の無線リンクを介して、無線信号により伝送される電磁エネルギーを受信することと、前記受信した電磁エネルギーから動作電力を得ることと、前記第１の無線リンクとは異なる第２の無線リンク上でデータユニットを受信することと、前記データユニットをメモリに格納することと、入力／出力コントローラを介して受信したメモリ読み出し要求に応答して、前記データユニットを前記メモリから提供することと、を装置に実行させるように構成されるコンピュータプログラムが提供される。
【００１１】
本発明の第６の側面によると、コンピュータ可読メモリ媒体に統合されるコンピュータプログラムであって、前記プログラムを実行する際に、電磁エネルギーを第１の無線リンク上で送信することと、データユニットを入力／出力コントローラを介して受信することと、前記データユニットをメモリに格納することと、前記データユニットを第２の無線リンクを介して提供することと、を装置に実行させるように構成されるコンピュータプログラムが提供される。
【００１２】
本発明の第７の側面によると、第１の無線リンクを介して、無線信号により伝送される電磁エネルギーを受信し、かつ前記受信した電磁エネルギーから装置の動作電力を得る手段と、
前記第１の無線リンクとは異なる第２の無線リンク上で通信接続を制御する手段と、
入力／出力制御手段と、
データ格納手段と、
前記第２の無線リンクを介してピア装置からデータユニットを受信し、前記データユニットを前記データ格納手段に格納し、前記入力／出力制御手段を介して受信したメモリ読み出し要求に応答して、前記入力／出力制御手段を介して、前記データユニットをメモリから提供するように構成されるデータ処理手段と、を備える装置が提供される。
【００１３】
本発明の第８の側面によると、第１の無線リンクで電磁エネルギーをピア装置に送信する手段と、
第２の無線リンク上で通信接続を制御する手段と、
入力／出力制御手段と、
データ格納手段と、
前記入力／出力制御手段を介してデータユニットを受信し、前記データユニットを前記データ格納手段に格納し、前記第２の無線リンクを介して、前記データ格納手段から前記ピア装置に前記データユニットを提供するように構成されるデータ処理手段と、を備える装置が提供される。
【００１４】
本発明の種々の例示的実施形態について、実施形態や請求項によって以下に例示する。本発明のある側面に基づく実施形態が例示される。本発明のいかなる実施形態も、単独で、または他の実施形態と組み合わせて、別の実施形態にも適用してもよいことを理解されたい。
【図面の簡単な説明】
【００１５】
添付の図面を参照しつつ例を用いて本発明を説明する。
【図１】本発明の少なくとも１つの実施形態を使用しうるシステムの略図を示す。
【図２】本発明のある実施形態に従う装置の例示的構造を概説する。
【図３】本発明のある実施形態に従うプロトコルスタックの例を示す。
【図４】本発明のある実施形態に従う方法の例を示す。
【詳細な説明】
【００１６】
以下の説明において、同一の数字は同一の要素を示す。
【００１７】
次に、本発明の少なくとも１つの実施形態を使用しうる例示的システムを示す図１を参照する。図１の例示的システムは、２つの機器100、101およびネットワーク113を備える。
【００１８】
本発明の少なくとも１つの実施形態によると、第１の機器100は、例えば、ノート型コンピュータ、ハンドヘルドコンピュータ、携帯情報端末（Personal Digital Assistant; PDA）、または携帯電話機等の、携帯型または移動可能型の機器であってもよい。少なくとも１つの実施形態によると、第２の機器101は、例えば、サーバコンピュータであってもよい。少なくとも１つの実施形態では、ネットワーク113は、例えば、インターネットまたは会社のイントラネット等のTCP/IPベースの通信ネットワークであってもよい。第２の機器101は、有線接続もしくは無線接続またはそれらの組み合わせによって、ネットワーク113に接続されてもよい。
【００１９】
第１の機器100はメモリ102を備えてもよく、メモリ102は、読み取り専用メモリ（read-only memory; ROM）、プログラム可能読み取り専用メモリ（programmable read only memory; PROM）、消去可能プログラム可能読み取り専用メモリ（erasable programmable read-only memory; EPROM）、ランダムアクセスメモリ（random-access memory; RAM）、フラッシュメモリ、データディスク、光学ストレージ、磁気ストレージ、SIMもしくはUSIMカード等のメモリもしくはスマートカード、またはその同等物等の、揮発性または不揮発性メモリであってもよい。機器100は、複数のメモリ102を備えてもよい。メモリ102は、機器100の一部として構成されてもよいし、機器100のスロット、ポート、またはその同等物に挿入されるものであってもよい。またはユニバーサルシリアルバス（Universal Serial Bus; USB）ケーブル等のケーブルを介して機器100のポートに接続されるものであってもよい。メモリ102は、データを格納するという唯一の目的を果たしてもよいが、データ処理等の他の目的を果たす装置の一部として構成されてもよい。
【００２０】
第１の機器100は、さらに通信装置103を備えてもよい。図１の通信装置103は、メモリ104ならびにアンテナ105および108を備えてもよい。
【００２１】
第２の機器101は、ブラウザモジュール114および通信装置112を備えてもよい。図１の通信装置112は、メモリ111ならびにアンテナ107および110を備えてもよい。通信装置103および112は、以下にさらに詳述するように、無線リンク106および109を介してピア・アソシエーションを行ってもよい。
【００２２】
本発明の少なくとも１つの実施形態では、通信装置103および112は、各々にアンテナを１つだけ備えてもよい。例えば、通信装置103は、アンテナ108を備え、通信装置112は、アンテナ110を備えてもよい。通信装置間のピア・アソシエーションが通信装置間に２つの無線リンクを必要とする場合、機器100、101の他のアンテナ（図１に図示せず）を使用してもよい。機器100または101へ向けて各々のアンテナ間の無線リンクで伝送される信号は、機器100、101の各々の無線回路から内部の通信装置103、112に送られてもよい。
【００２３】
次に、少なくとも１つの実施形態に従う通信装置の例示的構造を示す図２を参照する。図２の通信装置20は、アンテナ21、22、電力ユニット23、通信ユニット24、入力／出力コントローラ25、プロセッサ26、およびメモリ27を備えてもよい。また、通信装置20は、メモリ27に格納され、かつプロセッサ26上で実行されるように動作可能であるコンピュータプログラム28も備えてもよい。
【００２４】
電力ユニット23は、例えば、コイル、コンデンサ、および整流器を含む回路を備えてもよく、回路は、アンテナ21を介して、例えば、電磁信号の形式で電磁エネルギーを受信し、かつ電磁信号から通信装置20の動作電力を得る。
【００２５】
通信装置20がアンテナを１つしか備えない実施形態、例えば、アンテナ22を備える実施形態では、電力ユニットは、通信装置20の外部の無線回路に対して制御を受けうるように接続され、その接続を介して外部無線回路から電磁信号を受信してもよい。
【００２６】
通信ユニット24は、アンテナ22を介して無線接続上で信号を送信するように構成される送信機部分と、アンテナ22を介して無線接続上で信号を受信するように構成される受信機部分とを備えてもよい。通信ユニットは、マイクロコントローラ、フィルタ、およびデジタル/アナログ変換器等の他の回路をさらに備えてもよい。
【００２７】
入力／出力コントローラ25は、通信装置20と外部装置、機器等との間のインターフェースを提供する回路を備えてもよい。入力／出力コントローラ25は、内部バスまたはシリアル回線を介してプロセッサ26からデータおよび/または命令を受信し、システムバス、シリアル回線、またはその同等物を介して外部装置または機器からデータおよび/または命令を受信してもよい。
【００２８】
プロセッサ26は、例えば、マイクロプロセッサであってもよい。プロセッサ26は、プログラムコード命令がプロセッサ28上で実行される場合に、コンピュータプログラム28のプログラムコード命令に従って、通信装置20の動作を制御するように構成される。
【００２９】
メモリ27は、コンピュータプログラム、プログラムコード命令、およびプロセッサ26の制御下のデータを格納するように構成されてもよい。メモリ27は、読み取り専用メモリ（read-only memory; ROM）、プログラム可能読み取り専用メモリ（programmable read only memory; PROM）、消去可能プログラム可能読み取り専用メモリ（erasable programmable read-only memory; EPROM）、ランダムアクセスメモリ（random-access memory; RAM）、フラッシュメモリ、または相変化メモリ（phase change memory; PCM）等の揮発性または不揮発性メモリであってもよい。通信装置20は複数のメモリ27を備えてもよい。メモリ27は、通信装置20の一部として構成されてもよい。メモリ27は、データを格納するという唯一の目的を果たしてもよいか、または例えば、プロセッサ26の一部として構成されてもよい。
【００３０】
少なくとも１つの実施形態によると、通信装置20は、例えば、デスクトップコンピュータ、デスクサイドコンピュータ、サーバコンピュータ、ラップトップコンピュータ、ハンドヘルドコンピュータ、携帯情報端末（Personal Digital Assistant; PDA）、または携帯電話機等の機器の内蔵要素として実装されてもよい。
【００３１】
次に、本発明のある実施形態に従う例示的プロトコルスタックの概要を示す図３を参照する。図３は、図１を参照して前述した第１の機器101または第２の機器102等の機器のプロトコルスタック300と、第１の通信装置のプロトコルスタック301と、第２の通信装置のプロトコルスタック302と、例えば、インターネットまたは会社のイントラネットに存在するコンテンツ提供サーバのプロトコルスタック303とを示す。
【００３２】
機器のプロトコルスタック300は、ユーザインターフェース層304、アプリケーション層305（例えば、図３に示すハイパーテキストトランスミッションプロトコル（HyperText Transmission Protocol; HTTP層）、トランスポートおよびネットワーク層306（TCP層およびIP層等）（単一の層として図示されている）を有してもよい。トランスポートおよびネットワーク層は、接続エンドポイントの間にエンド・ツー・エンド接続を提供する。また図３は、コンテンツプロバイダサーバのプロトコルスタック303のアプリケーション層307も示している。
【００３３】
図３は、無線インターフェース312上でそれぞれのプロトコルスタック301、302によって通信するピア通信装置APP1、APP2をさらに示す。プロトコルスタック301、302の各々は、メモリ制御層308、309および下位プロトコル層313、314を備えてもよい。下位プロトコル層は、ネットワーク層、媒体アクセス制御（media access control; MAC）層、および物理層を備えてもよい（図３に図示しない）。
【００３４】
プロトコルスタック301、302により表わされるピア通信装置は、データを受信するように構成されるメモリ部分315、318と、データを送信するように構成されるメモリ部分316、317とを備えてもよいメモリ310、311をさらに備えてもよい。メモリ部分316、317は、無線インターフェース312上で確立される無線リンクによって、メモリ部分315、318に対して制御を受けうるように接続されてもよい。
【００３５】
メモリ310、311は、さらに後述する方式で、メモリ制御層308、309によって、ピア通信装置の外部からアクセスされてもよい。例えば、通信装置APP1は、メモリ制御層308、309に提供されるインターフェースを使用して、通信装置APP2のメモリ311にアクセスしてもよい。
【００３６】
次に、本発明のある実施形態に従う方法の例を示す図４を参照する。符号40は電磁エネルギーを受信するステップを表す。電磁エネルギーは、無線リンクで伝送される極超短波またはNFC通信信号等の信号形式で受信されてもよい。電磁エネルギーを伝送する信号は、例えば、アンテナ21を介して、または前述の方式の外部無線回路への接続を介して、図２の通信装置20の電力ユニット23によって受信されてもよい。
【００３７】
符号41は受信した電磁エネルギーから動作電力を得るステップを表す。ステップ40と同様に、動作電力は、例えば、図２の通信装置20の電力ユニット23によって得られてもよい。次いで電力ユニット20は、動作電力を通信装置20の他の要素に供給してもよい。
【００３８】
ステップ42において、例えば、図３を参照して説明したような接続が、ピア通信装置間に確立されてもよい。この接続は、超広帯域（ultra wideband; UWB）インパルス無線（impulse radio; IR）技術を使用して無線リンク上に確立されてもよい。接続の確立手続は、例えば、ビットストリームの同期ならびにアクセス制御認証情報の検証等の認証手続および/または認可手続を備えてもよい。
【００３９】
ステップ43において、ステップ42で確立された接続上でデータを受信してもよい。データは、インターネットプロトコル（Internet Protocol; IP）パケット等のデータユニット形式で受信されてもよい。データは、例えば、図２の通信装置20の通信ユニット24の受信機部分によって受信されてもよい。
【００４０】
ステップ44で、受信したデータをメモリに格納してもよい。図２を参照すると、通信ユニット24の受信機部分は、受信したデータをプロセッサ26上に送り、次いで、そのデータをメモリ27に格納してもよい。
【００４１】
図４のステップ45において、受信したデータをメモリから取り出し、メモリ読み出し要求に対する応答として要求者に送信する。メモリ読み出し要求は、例えば、入力／出力コントローラ25を介してプロセッサ26によって受信されてもよい。メモリ読み出し要求は、例えば、図３のメモリ制御層308、309によって提供されるコマンドインターフェースを使用して行われてもよい。メモリ制御層308、309は、図３のプロトコルスタック301、302の残りの層とともに、例えばコンピュータプログラム28によって図２の通信装置20に実装されてもよい。
【００４２】
図１に描かれるように、メモリ読み出し要求は、例えば機器100から行われてもよい。メモリ読み出し要求に対する動作として、受信したデータは、通信装置メモリ104からデバイスメモリ102に転送されてもよい。
【００４３】
図４の方法は、図２の入力／出力コントローラ25等の入力／出力コントローラを介して、データを受信するステップをさらに含んでもよい。受信したデータは、例えば、図２の通信装置20が内部に実装されている機器上を実行するアプリケーションから生成されてもよい。受信したデータは、メモリに格納され、メモリ読み出し要求に対する応答として無線リンクを介して提供されてもよい。
【００４４】
例えば、図２を参照すると、プロセッサ26は、通信装置20の外部から入力／出力コントローラ25を介してデータを受信してもよい。プロセッサは、例えば図１に示す方式でデバイスメモリからデータを受信してもよい。プロセッサは、プロセッサ26が無線リンクを介してピア通信装置からメモリ読み出し要求を受信するまで、受信したデータをメモリ27に格納してもよい。ピア通信装置からのメモリ読み出し要求は、アンテナ22および通信ユニット24の受信機部分によって受信されてもよく、通信ユニット24は、メモリ読み出し要求をプロセッサ26に転送する。メモリ読み出し要求は、図３に示すメモリ制御プロトコル層によって提供されるコマンドインターフェースを使用してもたらされてもよい。
【００４５】
メモリ読み出し要求に対する応答として、プロセッサ26は、要求したデータをメモリ27から取り出し、通信ユニット24の送信機部分およびアンテナ22を介して、要求したデータを要求側ピア通信装置に送信してもよい。
【００４６】
図４の方法は、ステップ42で確立した接続を介してピア通信装置からプログラムコマンドを受信することと、受信したコマンドを、入力／出力ユニットを介して、例えば通信装置のオペレーティングシステムに提供することとをさらに含んでもよい。例えば、通信装置は、機器上の特定のアプリケーションを開始するのに使用されうるプログラムコマンドをピア通信装置から受信してもよい。ピア通信装置は、通信装置がピア通信装置と接続を確立（図４のステップ42参照）しうる距離に近づいてきたことに応じて、プログラムコマンドの送信を開始してもよい。例えば、図２を参照すると、通信装置20の電力ユニット23が、アンテナ21を介してピア通信装置から電磁信号を受信し、その信号から通信装置の動作電力を得る場合、通信装置20の起動により、当該通信装置は図４のステップ42に従って接続確立を開始してもよい。
【００４７】
図示する例として、通信装置は、当該通信装置のオペレーティングシステムにウェブブラウザを開始させるプログラムコマンドを、ピア装置から受信してもよい。加えて、通信装置は、ウェブページの統一資源位置指定子（Uniform Resource Locator; URL）等のプログラムコマンドに関連付けられるパラメータを受信してもよい。また通信装置は、アプリケーションで処理されうるデータも受信してもよい。例えば、通信装置は、ウェブブラウザに表示可能であるウェブページのコンテンツを受信してもよい。
【００４８】
次に、図１から4を参照して、図示する例によって本発明の種々の実施形態について説明する。図１の機器100は、例えば、ウェブブラウザアプリケーションを備える携帯電話機であってもよい。機器100が第２の機器101に接近すると、ピア通信装置103と112とは接続を確立することができる。
【００４９】
第２の機器101の通信装置112が、機器101からその動作電力を受信すると仮定する。このシナリオでは、通信装置103が通信装置112に接近すると、通信装置103は、通信装置103が電磁信号からその動作電力を獲得できるように、アンテナ105を介して通信装置112から電磁信号106を受信しうる。言い換えると、通信装置112は、通信装置103の電源として動作してもよく、通信装置103は、例えば、機器100の電池を電源として使用する必要が生じない。電磁信号106は、例えば、極超短波信号であってもよい。前述のように、通信装置は、機器100の無線回路に対する制御可能な接続を介して、電磁信号に含まれる電磁信号または電力を受信してもよい。この場合、電磁信号または電磁信号からの電力は、機器100のアンテナを介して受信される（図１に図示せず）。
【００５０】
通信装置103が通信に十分な動作電力を有する場合、通信装置103と112との間の接続が無線リンク109上で確立されうる。例えば、超広帯域インパルス無線技術を使用してもよい。
【００５１】
通信装置103、112間の接続確立に応答して、通信装置は、無線リンク109を介してプログラムコマンドを通信装置103に送信してもよい。図３を参照すると、通信装置112は、メモリ制御プロトコル層により提供されるインターフェースを使用して、プログラムコマンドを通信装置103のメモリ104に入力してもよい。同様に、通信装置112は、プログラムコマンドに関連付けられる入力パラメータをメモリ104に入力してもよい。
【００５２】
通信装置112は、機器100上の特定のアプリケーションを開始する目的で、プログラムコマンドを通信装置103に送信してもよい。この場合、通信装置103は、プログラムコマンドを、機器100のオペレーティングシステムに送ってもよい。例えば、図２も参照すると、通信装置20（図１の通信装置103に対応する）のプロセッサ26は、通信ユニット24を介してプログラムコマンドを受信し、図２に示す入力／出力ユニット25を介して、図１の機器100のメモリ102にプログラムコマンドを入力してもよい。
【００５３】
また、通信装置112は、同様に、無線リンク109を使用して、通信装置103を介して、アプリケーションにより処理されるデータコンテンツを機器100に送信してもよい。
【００５４】
例えば、図１の機器100がウェブブラウザを備える場合、ウェブブラウザアプリケーションは、機器100が第２の機器101に接近する場合に開始されてもよい。より正確には、ウェブブラウザアプリケーションは、通信装置103がピア通信装置112に接近する場合に開始されてもよい。通信装置103が接近することに応答して、通信装置112は、通信装置103に動作電力を供給し、前述の方式でウェブアプリケーションを機器100上で開始させる。
【００５５】
さらに図１を参照すると、機器100上を実行するアプリケーションは、本発明の少なくとも１つの実施形態に従って、第２の機器101上を実行するアプリケーション144にプログラムコマンドを送信してもよい。図示する例として、機器100上を実行するウェブブラウザは、機器101上を実行するブラウザエンジン114にコマンドを送信してもよい。
【００５６】
従来、インターネット上に存在するコンテンツ提供サーバへの接続を確立する場合、機器のウェブブラウザは、機器のオペレーティングシステムやプロトコルスタックにより提供される、アプリケーションプログラミングインターフェース等の手段を使用していた。このような従来の手法とは対照的に、機器100のウェブブラウザは、閲覧コマンドを第２の機器101のブラウザエンジンに送信する目的で、通信装置103、112間の接続を使用しうる。
【００５７】
図３も参照すると、図１の機器100上を実行するウェブブラウザは、図３に示すメモリ制御層308により提供されるコマンドインターフェースを使用して、通信装置103のメモリ104にアクセスしてもよい。言い換えると、メモリ制御層308によって、ウェブブラウザは、閲覧コマンドを通信装置103のメモリ104に、例えば、図３に示すメモリ310の部分316に書き込むことができる。
【００５８】
次いで、図１の通信装置104は、図３に示すメモリ制御層308、309により提供されるコマンドインターフェースを使用して、無線リンク109上で通信装置112のメモリ111にアクセスし、第２の機器101のメモリ111に、例えば、図３に示す部分318に、閲覧コマンドを書き込んでもよい。
【００５９】
次いで、閲覧コマンドは、通信装置112のメモリ111からブラウザエンジン114に届けられてもよい。ブラウザエンジンは、例えば図３に示すメモリ制御プロトコル層309により提供されるコマンドインターフェースを使用してメモリ111にアクセスし、閲覧コマンドをメモリ111から読み出してもよい。
【００６０】
ブラウザエンジン114は、例えば、インターネット上に存在するウェブサーバへの接続を確立し、機器100のウェブブラウザから受信した閲覧コマンドに従ってウェブサーバからコンテンツを取り出してもよい。ブラウザエンジン114が要求コンテンツを受信すると、ブラウザエンジン114は、コンテンツを、機器100のウェブブラウザに送信してもよい。
【００６１】
ある実施形態によると、ブラウザエンジン114は、図３に示すメモリ制御層309のコマンドインターフェースを使用して、通信装置112のメモリ111にアクセスし、取り出したコンテンツをメモリ111に書き込み得る。次いで、通信装置112は、取り出したコンテンツを通信装置103のメモリ104に書き込むために、メモリ制御層308、309のコマンドインターフェースを使用してもよい。次いで機器100のウェブブラウザは、図３に示すメモリ制御層308により提供されるコマンドインターフェースを使用して、取り出したコンテンツを通信装置のメモリ104から読み出してもよい。
【００６２】
本発明の一実施形態では、第１の機器100は、第１の機器100のユーザが所望し、および/または第１の機器のハードウェアおよびソフトウェア能力が対応するコンテンツを選択するために、第２の機器が使用する１つ以上のコンテンツ選択基準を、第２の機器101に標示するように構成される。１つ以上のコンテンツ選択基準の標示は、第２の機器101との通信セッションの確立に関する基準を提供することに基づいてもよい。代替として、第２の機器101は、第１および第２の機器が通信セッションを確立する度に第１の機器から第２の機器に基準を少なくとも全体的に送信する必要がないように、第１の機器100または第１の機器100のユーザに関連する識別子に基づく基準を全体的または部分的に入手するように構成されてもよい。
【００６３】
コンテンツ選択基準は、第２の機器101によって、または第２の機器にアクセス可能なネットワークエンティティによって、例えば、第１の機器100のハードウェアおよび/またはソフトウェア構成を認識するプロキシサーバによって、バッファリングされてもよい。第１の機器100と第２の機器101との間の通信セッションが、遠隔エンティティからネットワーク上で基準を取り出すには短過ぎる場合があるため、第２の機器によって第１の機器から直接基準を入手することが、特に、第１の機器100と第２の機器101との間無線リンクの領域が、２つの機器が相手に対して移動しうる速度に比べて短い場合に有利であってもよいことを理解されたい。
【００６４】
コンテンツ選択基準は、例えば、コンテンツサイズ、種類、ユーザの母国語等のコンテンツ分類、コンテンツの経時および/またはコンテンツが下品な言葉、性的な資料、または暴力的な資料を含むか否か、第１の機器の能力、例えば、映像対応、映像ストリーミング対応、音声対応、音声ストリーミング対応、ストリーミングセッション開始の推定遅延、利用可能なメモリ、プロセッサの種類、ディスプレイサイズ、ディスプレイの種類、ならびに第１の機器100に関連付けられるデジタル著作権管理データに関するユーザの好みのうちの１つ以上を含んでもよい。
【００６５】
前述のように、本発明の少なくともいくつかの実施形態は、携帯電話機の電池エネルギーを消費する携帯電話機の無線リソースを使用してインターネットへの接続を確立することなしに、例えば移動通信ネットワークまたは無線ローカルエリアネットワークを介してインターネットへの接続を確立することなしに、インターネットからのコンテンツの取得を可能にしうる。コンテンツの取得は、携帯電話機上に存在する通信装置を利用することによって可能になりうる。この通信装置は、その動作電力を、例えば、ピア通信装置から入手し、本明細書に説明する方式でコンテンツ取得処理を行う。ゆえに、携帯電話機の電池電力を使用する必要性は除去されうる。
【００６６】
前述の説明には、本発明の実装および実施形態の非限定的な例によって、本発明を実行するために本発明者が現在想定する最良の形態に関する完全かつ有益な例が提供されている。しかしながら、上記に提示する実施形態の詳細に本発明を限定せずに、本発明の特徴から逸脱することなく同等の手段を使用して他の実施形態において実装可能であることが当業者には明らかである。
【００６７】
さらに、本発明の上記に開示する実施形態の特徴のうちのいくつかは、他の特徴を対応して使用せずに利益をもたらすように使用されてもよい。したがって、前述の説明は、単に本発明の原理の例示として見なされ、それを限定するものとして見なされないものとする。したがって、本発明の範囲は、添付の特許請求の範囲のみによって限定される。
【図１】
2011521580.tif 000003
【図２】
2011521580.tif 000004
【図３】
2011521580.tif 000005
【図４】
2011521580.tif 000006
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
第１の無線リンクを介して、無線信号により伝送される電磁エネルギーを受信することと、
前記受信した電磁エネルギーから動作電力を得ることと、
前記第１の無線リンクとは異なる第２の無線リンク上でデータユニットを受信すること、ただし前記第２の無線リンクはインパルス無線リンクである、受信することと、
前記データユニットをメモリに格納することと、
入力／出力コントローラを介して受信したメモリ読み出し要求に応答して、前記データユニットを前記メモリから提供することと、
を含む、方法。
【請求項２】
第２の前記入力／出力コントローラを介してデータユニットを受信することと、
前記第２のデータユニットを前記メモリに格納することと、
前記第２の無線リンクを介して受信した第２のメモリ読み出し要求に応答して、前記第２のデータユニットを前記メモリから提供することと、
をさらに含む、請求項１に記載の方法。
【請求項３】
プログラムコマンドを前記第２の無線リンクを介して受信することと、
前記プログラムコマンドを前記入力／出力コントローラを介して提供することと、
をさらに含む、請求項１に記載の方法。
【請求項４】
前記無線信号により伝送される前記電磁エネルギーを、外部無線回路から受信すること、
をさらに含む、請求項１から３のいずれかに記載の方法。
【請求項５】
前記プログラムコマンドに関連付けられるパラメータを、前記第２の無線リンクを介して受信することと、
前記パラメータを前記入力／出力コントローラを介して提供することと、
をさらに含む、請求項３に記載の方法。
【請求項６】
請求項１，２，５のいずれか１項に記載の方法であって、
プログラムコマンドを前記第２の無線リンクを介して受信することと、
前記プログラムコマンドを前記入力／出力コントローラを介して提供することと、
を更に含み、前記プログラムコマンドは、アプリケーションを開始するために提供され、
前記方法はさらに、
前記アプリケーションにより処理されるアプリケーションデータを、前記第２の無線リンクを介して受信することと、
前記アプリケーションデータを前記入力／出力コントローラを介して提供することと、
をさらに含む、方法。
【請求項７】
装置であって、
第１の無線リンクを介して、無線信号により伝送される電磁エネルギーを受信し、かつ前記受信した電磁エネルギーから前記装置の動作電力を得るように構成される電力ユニットと、
前記第１の無線リンクとは異なる第２の無線リンク上で通信接続を制御するように構成される通信ユニット、ただし前記第２の無線リンクはインパルス無線リンクである、通信ユニットと、
入力／出力コントローラと、
メモリと、
前記第２の無線リンクを介してピア装置からデータユニットを受信し、前記データユニットを前記メモリに格納し、前記入力／出力コントローラを介して受信したメモリ読み出し要求に応答して、前記入力／出力コントローラを介して前記データユニットをメモリから提供するように構成されるプロセッサと、
を備える、装置。
【請求項８】
前記プロセッサは、
第２の前記入力／出力コントローラを介してデータユニットを受信し、
前記第２のデータユニットを前記メモリに格納し、
前記入力／出力コントローラを介して受信した第２のメモリ読み出し要求に応答して、前記入力／出力コントローラを介して前記第２のデータユニットを前記メモリから提供する、
ようにさらに構成される、請求項７に記載の装置。
【請求項９】
前記データユニットはアプリケーションデータを伝送する、請求項７に記載の装置。
【請求項１０】
前記データユニットは音声データを伝送する、請求項７に記載の装置。
【請求項１１】
前記電力ユニットは、前記無線信号により伝送される前記電磁エネルギーを、外部無線回路から受信するように構成される、請求項７から１０のいずれかに記載の装置。
【請求項１２】
前記第１の無線リンクは極超短波またはNFC通信リンクであり、前記第２の無線リンクは超広帯域リンクである、請求項７から１０のいずれかに記載の装置。
【請求項１３】
前記プロセッサは、
プログラムコマンドを前記通信ユニットを介して受信し、
前記プログラムコマンドを前記入力／出力コントローラを介して提供する、
ようにさらに構成される、請求項７から１０のいずれかに記載の装置。
【請求項１４】
前記プロセッサは、
プログラムコマンドを前記通信ユニットを介して受信し、
前記プログラムコマンドを前記入力／出力コントローラを介して提供し、
前記プログラムコマンドに関連付けられるパラメータを、前記通信ユニットを介して受信し、
前記パラメータを前記入力／出力コントローラを介して提供する、
ようにさらに構成される、請求項７から１０のいずれかに記載の装置。
【請求項１５】
前記プロセッサは、
プログラムコマンドを前記通信ユニットを介して受信し、
前記プログラムコマンドを前記入力／出力コントローラを介して提供し、
前記受信したプログラムコマンドに応答してアプリケーションを開始し、
前記アプリケーションにより処理されるアプリケーションデータを、前記通信ユニットを介して受信し、
前記アプリケーションデータを前記入力／出力コントローラを介して提供する、
ようにさらに構成される、請求項７から１０のいずれかに記載の装置。
【請求項１６】
前記装置は、前記第２の無線リンクを介して受信されるコンテンツの１つ以上のコンテンツ選択基準を、前記ピア装置に標示するようにさらに構成される、請求項７から１０のいずれかに記載の装置。
【請求項１７】
電磁エネルギーを第１の無線リンク上で送信することと、
データユニットを入力／出力コントローラを介して受信することと、
前記データユニットをメモリに格納することと、
前記データユニットを第２の無線リンクを介して提供すること、ただし前記第２の無線リンクはインパルス無線リンクである、提供することと、
を含む、方法。
【請求項１８】
第２のデータユニットを前記第２の無線リンクを介して受信することと、
前記第２のデータユニットを前記メモリに格納することと、
前記第２のデータユニットを前記入力／出力ユニットを介して提供することと、
をさらに含む、請求項１７に記載の方法。
【請求項１９】
プログラムコマンドを前記第２の無線リンクを介して送信すること、
をさらに含む、請求項１７または１８に記載の方法。
【請求項２０】
第１の無線リンクで電磁エネルギーをピア装置に送信するように構成される送信機と、
第２の無線リンク上で通信接続を制御するように構成される通信ユニット、ただし前記第２の無線リンクはインパルス無線リンクである、通信ユニットと、
入力／出力コントローラと、
メモリと、
前記入力／出力コントローラを介してデータユニットを受信し、前記データユニットを前記メモリに格納し、前記第２の無線リンクを介して前記メモリから前記ピア装置に前記データユニットを提供するように構成されるプロセッサと、
を備える、装置。
【請求項２１】
前記プロセッサは、
前記第２の無線リンクを介してピア装置から第２のデータユニットを受信し、
前記第２のデータユニットを前記メモリに格納し、
前記第２のデータユニットを前記入力／出力コントローラを介して提供する、
ようにさらに構成される、請求項２０に記載の装置。
【請求項２２】
前記プロセッサは、前記第２の無線リンクを介してプログラムコマンドを前記ピア装置に送信するようにさらに構成される、請求項２０または２１に記載の装置。
【請求項２３】
装置の処理手段に実行されることにより、前記装置に請求項１から６および１７から１９のうちのいずれかに１項に記載の方法を実行させるように構成されるコンピュータプログラム。
【国際調査報告】
2011521580.tif 000007
2011521580.tif 000008
2011521580.tif 000009